(57)【要約】【課題】捕集塵埃によるフィルタの目詰まりを抑制して、長時間使用してもフィルタを通過する空気量はほとんど変わらずに洗浄等のメンテナンスの手間を軽減した扇風機用集塵フィルタを提供する。【解決手段】略円筒状の周壁部２と底部３から成る袋状のフィルタ本体４と、そのフィルタ本体４の開口縁５に沿って設けた複数の係止部材６を備え、該係止部材６を扇風機の安全ガード周縁に係止して扇風機を起動した際、フィルタ本体４が風下側に膨出し、その内側で塵埃を捕集する。フィルタ本体４はその内側に配置される繊維を重畳して厚手に形成した第１の不織布７と、その外側に配置される第１の不織布を覆う第２の不織布８とを備えて成る少なくとも二重構造である。【選択図】図２
2007239701.tif 000002
【特許請求の範囲】
【請求項１】
略円筒状の周壁部と底部から成る袋状のフィルタ本体と、そのフィルタ本体の開口縁に沿って設けた複数の係止部材を備え、扇風機の前面に取り付ける扇風機用集塵フィルタであって、
前記フィルタ本体はその内側に配置され、繊維を重畳して厚手に形成した第１の不織布と、その外側に配置され、前記第１の不織布を覆う第２の不織布とを備えて成る少なくとも二重構造であることを特徴とする扇風機用集塵フィルタ。
【請求項２】
前記第１及び第２の不織布を電石シートで構成した請求項１記載の扇風機用集塵フィルタ。
【請求項３】
前記第１の不織布は表面の繊維を起毛状態とした請求項１又は２記載の扇風機用集塵フィルタ。
【請求項４】
前記係止部材は、前記フィルタ本体の開口縁から内側に向く前後一対の係止板を備え、各係止板の先端に扇風機の安全ガードの骨に係合するスリットを設けた請求項１乃至３のいずれかに記載の扇風機用集塵フィルタ。
【発明の詳細な説明】
【技術分野】
【０００１】
本発明は、扇風機の安全ガードに装着し、扇風機の送風作用によって送風される空気から浮遊塵埃を捕集する扇風機用集塵フィルタに関する。
【背景技術】
【０００２】
従来、家庭用の扇風機の安全ガードに装着するタイプの集塵フィルタが公知である（特許文献１）。この集塵フィルタは扇風機の送風作用によって袋状のフィルタ本体が風下側に膨出し、空気がフィルタ本体を通過する際に空気中から浮遊塵埃を捕集する。フィルタは不織布で構成されており、不織布の微細な目を通して空気はフィルタ内部から外側に導かれる一方、浮遊塵埃はその微細な目を通過することができずに捕獲される。
【０００３】
【特許文献１】特開２００４−１４４００３号公報
【発明の開示】
【発明が解決しようとする課題】
【０００４】
ところが、特許文献１の扇風機用フィルタは、フィルタ本体が１枚の不織布で構成されているため、扇風機に装着して長時間使用すると、フィルタの目に浮遊塵埃が詰まっていき、空気の通過特性が低下する。そのためフィルタ面を通過する空気量は次第に減少していき、扇風機によって送風される空気は扇風機の安全ガード周縁部に逆流し、その逆流はフィルタ内部で捕集した塵埃を再び室内に撒き散らす可能性がある。このような事態を防止するためには、フィルタを頻繁に交換したり、又は洗浄しなければならず、使い勝手が悪い。
【０００５】
また特許文献１の扇風機用フィルタは、袋状のフィルタ本体の開口部の周縁にゴムを設けており、そのゴムの収縮作用により扇風機の安全ガードに装着される。しかしながら、ゴムによる収縮作用でフィルタを安全ガードに取り付ける場合、収縮力が弱いと、扇風機の送風時にフィルタが安全ガードから外れてしまうという問題がある。また収縮力が強すぎると、扇風機背面側の安全ガードが比較的急勾配である場合には、フィルタの開口部を安全ガードの周縁部に留めておくことができずに安全ガード後端の回転軸付近にまで落ち込み、しかも開口部を縮径するのでフィルタ内部への空気の流入量が少なくなり、集塵効果が低下する。
【０００６】
そこで本発明は、上記従来の問題点を解決することを目的としてなされたものであり、捕集塵埃によるフィルタの目詰まりを抑制して、長時間使用してもフィルタを通過する空気量はほとんど変わらずに洗浄等のメンテナンスの手間を軽減した扇風機用集塵フィルタを提供し、更にフィルタ開口部を常に安全ガードの周縁部に保持しておくことができる集塵フィルタを提供する。
【課題を解決するための手段】
【０００７】
上記目的を達成するため、本発明者が鋭意検討したところによると、１枚の薄手の不織布を用いてフィルタ本体を構成した場合には必ず目詰まりの問題が生じるのに対し、多数の繊維を重畳して形成した厚手の不織布を用いてフィルタ本体を構成した場合には目詰まりが生じにくく、しかも多量の塵埃を捕集できることを知見した。しかしながら、１枚の厚手の不織布でフィルタ本体を構成すると、長時間の使用や外部との摩擦接触等によってフィルタ本体の外側表面が次第に激しく毛羽立つようになる。これをそのまま放置しておくと、次第に不織布が劣化していき、その結果、空気と共に塵埃がフィルタ本体をそのまま通過してしまい、捕集効率が著しく低下する事態が生じ得る。かかる捕集効率の低下を抑制するためには、厚手の不織布の外側表面が外部と摩擦接触しないように別の不織布で覆う構造が好適であると考えられる。
【０００８】
そこで本発明が解決手段として採用したところは、略円筒状の周壁部と底部から成る袋状のフィルタ本体と、そのフィルタ本体の開口縁に沿って設けた複数の係止部材を備え、扇風機の前面に取り付ける扇風機用集塵フィルタであって、前記フィルタ本体は、その内側に配置され、繊維を重畳して厚手に形成した第１の不織布と、その外側に配置され、前記第１の不織布を覆う第２の不織布とを備えて成る少なくとも二重構造とした点にある。
【０００９】
かかる構成によると、フィルタ本体内側の厚手に形成された第１の不織布は目詰まりを生じることなく多量の塵埃を捕集できる。そして第２の不織布は第１の不織布を覆う状態で配置されるので、第１の不織布を保護し、長時間使用した場合等であっても第１の不織布が劣化していくことを防止し、捕集効率の低下を抑制する。しかも万一、第１の不織布を塵埃が通過してしまった場合でも最終的に外側の第２の不織布がその塵埃を捕捉する。
【００１０】
上記構成において第１及び第２の不織布は電石シートを用いて構成することが好ましい。この場合、フィルタ本体は扇風機から送風される空気中の塵埃を確実に吸着して捕捉する。
【００１１】
また第１の不織布は表面の繊維を起毛状態としておくことが好ましい。第１の不織布は第２の不織布で覆われているので、長時間使用しても毛羽立ちが次第に激しくなることはなく、むしろ表面の繊維がある程度起毛していた方がその起毛部分でより多くの塵埃を捕集できるという利点がある。ここで言う「起毛状態」は不織布に対して起毛処理（起毛加工）を行う場合だけでなく、比較的長い短繊維を重畳して形成した不織布の表面から自然に短繊維の先端が毛羽立っている場合を含む。
【００１２】
また係止部材は、フィルタ本体の開口縁から内側に向く前後一対の係止板を備え、各係止板の先端に扇風機の安全ガードの骨に係合するスリットを設けた構成とすることが好ましい。このような係止部材により、フィルタ本体の開口部を常に安全ガードの周縁部に保持しておくことができるようになる。
【発明の効果】
【００１３】
本発明に係る扇風機用集塵フィルタによれば、フィルタ本体がその内側に配置される繊維を重畳して厚手に形成した第１の不織布と、その外側に配置される第１の不織布を覆う第２の不織布とを備えた少なくとも二重構造であるので、フィルタ本体内側の第１の不織布が目詰まりを生じることなく多量の塵埃を捕集でき、長時間使用してもフィルタを通過する空気量はほとんど変わらずに洗浄等のメンテナンスの手間を軽減できる。
【００１４】
また第１及び第２の不織布を電石シートで構成することにより、塵埃を確実に吸着することができる。
【００１５】
また第１の不織布の表面の繊維を起毛状態としておくことにより、目詰まりを抑制しつつ、その起毛部分でより多くの塵埃を捕集できるようになる。
【００１６】
更にフィルタ本体を扇風機の前面側に取り付ける係止部材が、フィルタ本体の開口縁から内側に向く前後一対の係止板を備え、各係止板の先端に扇風機の安全ガードの骨に係合するスリットを設けた構成である場合には、前後一対の係止板が安全ガード周縁の環状フレームを挟んでその前後の骨に係合するように取り付けでき、扇風機による送風の強弱にかかわらず、フィルタ本体の開口部を常に十分に開放して安全ガードの周縁部に保持しておくことができるようになる。
【発明を実施するための最良の形態】
【００１７】
以下図面に基づいて本発明に係る扇風機用集塵フィルタの好ましい実施形態を詳述する。図１は扇風機用集塵フィルタ１を示す斜視図であり、図２は扇風機用集塵フィルタ１の使用状態を示す側面断面図である。この扇風機用集塵フィルタ１は、略円筒状の周壁部２と底部３から成る袋状で、かつ通気性のあるフィルタ本体４と、そのフィルタ本体４の開口縁５に沿ってほぼ等間隔に設けた複数の係止部材６，…，６とを備えて構成される。フィルタ本体４の開口縁５は、図２に示す如く、一般的な家庭用扇風機２０の送風ファン２１を覆う安全ガード２２の外径に適合する大きさで形成され、例えば直径４０ｃｍ程度とされている。そして周壁部２の開口縁５から円形の底部３に至るまで直径がほぼ一定の円筒状袋体として形成される。尚、開口縁５から底部３までの深さは約３０ｃｍ〜４０ｃｍ程度である。
【００１８】
フィルタ本体４の周壁部２及び底部３は、内側と外側にそれぞれ異なる厚さの不織布７，８を配置した少なくとも二重構造として形成され、多数の繊維を重畳して厚手に形成した第１の不織布７は内側に、それよりも薄手の第２の不織布８は外側に配置され、薄手の不織布８が厚手の不織布７を覆う態様で取り付けられる。不織布７，８は、帯電処理が施されて恒久的な電気分極を生じた所謂電石シートとして構成されており、それによって塵埃を確実に吸着することができるようになっている。フィルタ本体４の外側に配置される薄手の不織布８は表面の毛羽立ちのない不織布であり、必要に応じてエンボス加工が施される。またフィルタ本体４の内面に配置される厚手の不織布７はエンボス加工等を施さず、表面の繊維を起毛させておく。尚、厚手の不織布７と薄手の不織布８は互いに接着した状態であってもよいし、分離した状態であってもよい。
【００１９】
フィルタ本体４は図２に示す如く、開口縁５が係止部材６によって扇風機２０の安全ガード２２の周縁の環状フレーム２３とほぼ同じ位置となるように取り付けられ、送風ファン２１によって送り出される風が開口縁５を介してフィルタ内部に流入するように扇風機２０の前面側に設けられる。したがって、扇風機２０を起動すると、フィルタ本体４の円筒状袋形態が安全ガード２２の前面側に膨出し、フィルタ内部の空気は周壁部２と底部３の双方を通過して外部に流出し、厚手の不織布７と薄手の不織布８から成る二重構造のフィルタ本体４が通過する空気に含まれる浮遊塵埃を捕集する。
【００２０】
このとき、扇風機用集塵フィルタ１は、フィルタ本体４の内側に厚手の不織布７を設けているので、不織布７の重畳された繊維の１本１本が扇風機２０から送られてくる空気中の塵埃を吸着して捕集する。即ち、図３に示す如く、厚手の不織布７は多数の繊維を重畳した構成であるので、フィルタ本体内側の表面だけで塵埃９を捕集するのではなく、多重構造の表面部分や中間部分、更にその奥の裏面部分で塵埃９を効率的に捕集する。一般にフィルタ本体を薄手の不織布の１枚構成とし、その表面だけで塵埃を捕集する場合には、目詰まりを生じやすく、長時間の使用によって通気性が低下し、塵埃の捕集効率が低下するが、本実施形態のようにフィルタ本体４の内側に多数の繊維を重畳して成る厚手の不織布７を配置することにより、目詰まりの生じ難いフィルタ構成が実現されるのである。更に表面の繊維が起毛する厚手の不織布７は、その起毛部分でより多くの塵埃を捕集できるので、通気性を低下させることがなく、目詰まりの抑制効果はより高くなる。
【００２１】
このようにフィルタ本体４は内側に設けた厚手の不織布７により、扇風機２０から送風される空気中の塵埃を効率的に捕集するので、外側に設けた薄手の不織布８に対して塵埃が運ばれることは極めて少ないが、仮に塵埃が厚手の不織布７を通り抜けた場合であっても、その塵埃は外側に設けた薄手の不織布８によって最終的に捕捉されるので、フィルタ本体４を通過することなく捕集される。また薄手の不織布８まで導かれる塵埃は少ないので、長時間使用しても不織布８の目詰まりは生じ難くなっている。
【００２２】
したがって、フィルタ本体４をその内側に配置した厚手の不織布７と、その外側に配置した薄手の不織布８との少なくとも二重構造とすることにより、浮遊塵埃を効果的に捕集することができると共に、目詰まりが少なく、従来品よりも更に長時間使用することが可能な集塵フィルタが実現される。また薄手の不織布８は厚手の不織布７を保護するので、長時間使用しても厚手の不織布７が劣化することはなく、塵埃の捕集効率が低下することを防止する。
【００２３】
図４は、フィルタ本体４の開口縁５に設けた係止部材６を示し、扇風機２０の安全ガード２２に取り付ける態様を示す図である。尚、図４では１つの係止部材６を示しているが、他の係止部材についても同様である。係止部材６は、樹脂製の一枚の板状体で形成され、そのほぼ中央部分がフィルタ本体４の開口縁５に取り付けされると共に、両端が開口縁５から内側を向くように折り曲げられて前後一対の係止板６ａ，６ｂを構成する。各係止板６ａ，６ｂの先端には、扇風機２０の安全ガード２２の周縁の環状フレーム２３から前後方向に延びる骨２４に係合するスリット６ｃが設けられている。スリット６ｃの幅は骨２４の直径よりも細く、スリット６ｃの奥端には骨２４とほぼ同径の係止孔６ｄが設けられる。而して、フィルタ本体４を扇風機２０の安全ガード２２に装着する際、前後一対の係止板６ａ，６ｂは環状フレーム２３を挟むようにして安全ガード２２の外側から嵌め込まれ、スリット６ｃ，６ｃを介して係止孔６ｄ，６ｄがそれぞれ環状フレーム２３の前後方向に延びる骨２４，２４に係合して抜けを防止する。このとき、一対の係止板６ａ，６ｂは環状フレーム２３を挟み込んだ状態で骨２４，２４に係合するので、係止部材６の前後方向への移動は規制され、常にフィルタ本体４の開口縁５を環状フレーム２３に沿う位置に保持しておくことができる。したがって、係止部材６はフィルタ本体４の開口縁５を常に十分開放した状態で扇風機２０の安全ガード２２に取り付けられるため、扇風機２０の送風作用によって送り込まれる全風量を効率よくフィルタ本体４の内部に導くことができる。そして上述のフィルタ本体４の二重構造と相俟って、効率的な集塵作用を長時間持続することができるようになっている。
【００２４】
以上の如く、本実施形態の扇風機用集塵フィルタ１は、フィルタ本体４の内側と外側にそれぞれ異なる厚手の不織布７，８を配置した少なくとも二重構造としており、多数の繊維を重畳した厚手の不織布７を内側に配置すると共に、それよりも薄手の不織布８を外側に配置しているので、内側の厚手の不織布７が目詰まりを起こすことなく多量の塵埃を捕集でき、長時間使用してもフィルタ本体４を通過する空気量はほとんど変わらずに洗浄等のメンテナンスの手間を軽減することができる。また、フィルタ本体４を扇風機２０の安全ガード２３に取り付ける係止部材６は、フィルタ本体４の開口縁５から内側に向く前後一対の係止板６ａ，６ｂを備えており、各係止板６ａ，６ｂの先端に扇風機２０の安全ガード２２の骨２４に係合するスリット６ｃを設けているので、前後一対の係止板６ａ，６ｂが安全ガード周縁の環状フレーム２３を挟んで環状フレーム２３の前後の骨２４に係合するように取り付けでき、扇風機２０による送風の強弱にかかわらず、フィルタ本体４の開口部を常に十分に開放して安全ガードの周縁部に保持しておくことができる。そのため、フィルタ本体４の内部への空気の流入量を常に十分に確保しておくことができる。
【００２５】
尚、上記実施形態では図例としてフィルタ本体４を厚手の不織布７と薄手の不織布８の二重構造とする場合を示したが、更に他の不織布を設けて二重構造以上のフィルタ本体を構成しても良い。
【００２６】
また上記実施形態では厚手の不織布７を覆う不織布８が薄手である場合を例示したが、フィルタ本体４の外側に配置される不織布８の厚さはこれに限らず、厚手のものであっても構わない。ただし、その場合でも外側の不織布８は表面の毛羽立ちのない不織布であることが好ましい。
【図面の簡単な説明】
【００２７】
【図１】扇風機用集塵フィルタを示す斜視図である。
【図２】扇風機用集塵フィルタの使用状態を示す側面断面図である。
【図３】二重構造のフィルタ本体の集塵作用を示す拡大断面図である。
【図４】フィルタ本体の開口縁に設けた係止部材を示し、扇風機の安全ガードに取り付ける態様を示す図である。
【符号の説明】
【００２８】
１  扇風機用集塵フィルタ
２  周壁部
３  底部
４  フィルタ本体
５  開口縁（開口部）
６  係止部材
６ａ，６ｂ  係止板
６ｃ  スリット
７  厚手の不織布（第１の不織布）
８  薄手の不織布（第２の不織布）
９  塵埃  
２０  扇風機
２２  安全ガード
【図１】
2007239701.tif 000003
【図２】
2007239701.tif 000004
【図３】
2007239701.tif 000005
【図４】
2007239701.tif 000006